(57)【特許請求の範囲】
【請求項１】
下方が開放された外部ケース側の昇降索を棚部に連結して棚部を外部ケース内に格納する格納位置に上昇及び物品取出し・収納位置に下降自在に設けた昇降棚装置であって、棚部が外部ケースに格納された状態において棚部の底部と外部ケースとの間に生じる前後方向の隙間を小に抑える補助ガイドを外部ケースの前後部分の下部に設け、補助ガイドに当たるガイド当て部を棚部の前後部分の下部に設け、かつ、棚部が外部ケースに格納された状態において棚部の底部と外部ケースとの間に生じる左右方向の隙間を小に抑えるガイド用突面部を外部ケースの左右の側板の下部に設け、ガイド用突面部に摺接する突条当て部を棚部の両側部の下部に設けて成ることを特徴とする昇降装置。
【請求項２】
外部ケースの下端部に棚部の下端の外周縁部に弾接する筒状のパッキンを先端に備えたシール材を付設して成ることを特徴とする請求項１記載の昇降棚装置。
【請求項３】
外部ケースの外周下端面に接触にて応答して棚部の上昇を停止又は下降させる制御をおこなうケーブル又はテープ状のスイッチを設けて成ることを特徴とする請求項１記載の昇降棚装置。
【請求項４】
外部ケース側に縦レールを設け、棚部側に縦レールの両側にローラを配し、少なくとも一方のローラの縦レールに対する位置を変更可能に構成して成ることを特徴とする請求項１記載の昇降棚装置。
【請求項５】
補助ガイドを外部ケースの前後部分の下部でかつ左右箇所に設け、補助ガイドに当たるガイド当て部を棚部の前後部分の下部でかつ左右箇所に設けて成ることを特徴とする請求項１記載の昇降棚装置。
【請求項６】
平面状のガイド用突面部を外部ケースの左右の側板の前後方向の中央部の下部に形成し、ガイド用突面部に摺接する突条当て部を棚部の両側部の前後方向の中央部の下部に形成して成ることを特徴とする請求項１又は５記載の昇降棚装置。
【請求項７】
筒状のパッキンを先端に備えたシール材に外部ケース側に取り付ける取付片を形成し、取付片の下端部に外部ケースの内方下方に傾斜する水返しを形成して成ることを特徴とする請求項２記載の昇降棚装置。
【発明の詳細な説明】
【０００１】
【発明の属する技術分野】
本発明は、主として、食器乾燥器として使用されている昇降棚装置に関し、詳しくは、経年変化が生じても外部ケースと棚部との間に設定以上の隙間が生じるのを簡単な構成で防止して商品価値を高めようとする技術に係るものである。
【０００２】
【従来の技術】
従来、下方が開放された外部ケース１側の昇降索を棚部２に連結して棚部２を外部ケース１内に格納する格納位置に上昇及び物品取出し・収納位置に下降自在に設けた昇降棚装置においては、図２５に示すように、棚部２の下部周縁にリブ４８ａを形成し、外部ケース１側にシール材５２ａを付設して外部ケース１と棚部２との間に隙間をなくすようにしてごきぶり等の侵入を防止している。
【０００３】
この場合、棚部２のブラケット５ａと外部ケース１側の縦レール５１ａとで昇降する際の外部ケース１に対する棚部２の位置決めをおこなうものである。
【０００５】
【発明が解決しようとする課題】
ところで、棚部２に収納される食器や鍋などの種類により棚部２に偏荷重がかかる場合や、経年変化でベルトのような昇降索が伸びるなどにより、棚部２と外部ケース１との隙間がばらついてしまい、縦レール５１ａとブラケット５ａだけでは、正確な位置決めをおこなうことができず、棚部２の上昇の際に、下部のリブ４８ａが外部ケース１にぶつかることがあり、特に、上下方向にずれて隙間が生じている場合には、ごきぶり等が侵入するという問題があった。
【０００６】
本発明はこのような問題に鑑みてなされたものであり、経年変化が生じても外部ケースと棚部との間に設定以上の隙間が生じるのを簡単な構成で防止して商品価値を高めることができる昇降棚装置を提供することを課題とするものである。
【０００７】
【課題を解決するための手段】
請求項１においては、下方が開放された外部ケース１側の昇降索３を棚部２に連結して棚部２を外部ケース１内に格納する格納位置に上昇及び物品取出し・収納位置に下降自在に設けた昇降棚装置であって、棚部２が外部ケース１に格納された状態において棚部２の底部４６と外部ケース１との間に生じる前後方向の隙間ｄを小に抑える補助ガイド４７を外部ケース１の前後部分の下部に設け、補助ガイド４７に当たるガイド当て部７５を棚部２の前後部分の下部に設け、かつ、棚部２が外部ケース１に格納された状態において棚部２の底部４６と外部ケース１との間に生じる左右方向の隙間を小に抑えるガイド用突面部７６を外部ケース１の左右の側板２１、２１の下部に設け、ガイド用突面部７６に摺接する突条当て部７７を棚部２の両側部の下部に設けていることを特徴とするものである。このような構成によれば、棚部２を上昇させて外部ケース１に格納した状態において、棚部２の前後部分の下部のガイド当て部７５が外部ケース１の前後部分の下部の補助ガイド４７に当接して棚部２と外部ケース１との前後方向のがたつきを防止し、かつ、棚部２の両側部の下部の突条当て部７７が外部ケース１の両側板２１、２１の下部のガイド用突面部７６に当接して棚部２と外部ケース１との左右方向のがたつきを防止するのであり、棚部２の底部４６と外部ケース１とに間に設定以上の隙間が生じることがなく、例えば、経年変化で偏荷重がかかるようになっても、確実に設定通りの隙間を保つことができ、食器乾燥機とする昇降棚装置においてごきぶり等が侵入するのを防止することができる。
【０００８】
請求項２においては、外部ケース１の下端部に棚部２の下端の外周縁部４８に弾接する筒状のパッキン４９を先端に備えたシール材５２を付設していることを特徴とするものである。このような構成によれば、ヒレ状のパッキンに比べて筒状のパッキン４９によって昇降索３の伸びなどによる上下方向のずれも吸収することができ、あらゆる方向の隙間のばらつきが生じても、確実にシールを図ることができ、外部ケース１と棚部２との隙間を、一層、に無くすことができ、長期にわたって気密性の向上を図ることができる。
【０００９】
請求項３においては、外部ケース１の外周下端面に接触にて応答して棚部２の上昇を停止又は下降させる制御をおこなうケーブル又はテープ状のスイッチ５０を設けていることを特徴とするものである。このような構成によれば、棚部２を例えば、遠隔操作等によって格納させる際に、不測に外部ケース１の外周下端面に当てている指等を挟むおそれがあるが、外周下端面に付設したケーブル又はテープ状のスイッチ５０に触れることで棚部２の上昇を停止又は下降させることができ、安全性を高めることができる。
【００１０】
請求項４においては、外部ケース１側に縦レール５１を設け、棚部２側に縦レール５１の両側にローラ５３、５３を配し、少なくとも一方のローラ５３の縦レール５１に対する位置を変更可能に構成してあることを特徴とするものである。このような構成によれば、外部ケース１側の縦レール５１に対して棚部２側のローラ５３、５３を設定通りの位置に調整することができ、がたつきを生じさせることもなく棚部２を傾けることなく安定的に昇降させることができ、このような調整を容易におこなうことができる。
【００１１】
請求項５においては、補助ガイド４７…を外部ケース１の前後部分の下部でかつ左右箇所に設け、補助ガイド４７…に当たるガイド当て部７５…を棚部２の前後部分の下部でかつ左右箇所に設けてあることを特徴とするものである。このような構成によれば、棚部２の上昇終端部においては、棚部２の下部の前後左右のガイド当て部７５…が外部ケース１の下部の前後左右の補助ガイド４７…に当たることから、上昇終端部の前後方向のがたつきを防止して棚部２の上昇終端位置を所定通りの位置に位置決めして収納することができる。
【００１２】
請求項６においては、平面状のガイド用突面部７６を外部ケース１の左右の側板２１、２１の前後方向の中央部の下部に形成し、ガイド用突面部７６に摺接する突条当て部７７を棚部２の両側部の前後方向の中央部の下部に形成していることを特徴とするものである。このような構成によれば、棚部２の上昇終端部においては、棚部２の下部の両側の中央部の突条当て部７７、７７が外部ケース１の下部の両側の中央部のガイド用突面部７６、７６に当たることで、上昇終端部において左右方向のがたつきを防止して棚部２の上昇終端位置を所定通りの位置に位置決めして収納することができる。
【００１３】
この場合、ガイド用突面部７６及び突条当て部７７は樹脂成形品にて製作しておくと摺接して干渉しても傷つくのを防止することができるものである。
【００１４】
請求項７においては、筒状のパッキン４９を先端に備えたシール材５２に外部ケース１側に取り付ける取付片７８を形成し、取付片７８の下端部に外部ケース１の内方下方に傾斜する水返し７９を形成してあることを特徴とするものである。このような構成によれば、筒状のパッキン４９の下部外面より取付片７８側に伝う水滴は外部ケース１の内方下方に傾斜する水返し７９によって外部ケース１側に伝わるのを防止することができ、外部ケース１の木口部分が水滴に起因して汚されるのを防止することができる。
【００１５】
【発明の実施の形態】
以下、本発明の実施の形態を説明する。図１は概略側断面図である。図２は全体概略正面図である。図３は概略側断面図である。図４は概略側断面図である。図５は概略横断面図である。
【００１６】
昇降棚装置Ａは食器乾燥装置であり、天袋の一部を構成するもので、例えば、調理部と食堂とを仕切る天袋の一部として設置され、その下方にはカウンター（図示せず）が配設されている。以下、詳述する。
【００１７】
外部ケース１は下方が開放された箱型に形成され、開くことができない擬似扉２５を備え、このような外部ケース１の内部上部にはファン１７とヒータ１８を備えた温風供給部１９が設置され、更に、滑車２０と巻き取りドラム１１と駆動モータ１２を備えた昇降機構部１３が設置され、カバーにて囲繞されて湿気等入らないように気密が保たれている。カバーには温風吹出し口を形成している。ところで、ファン１７はヒータ１８とは独立して駆動できるようになっていて、ヒータ１８を駆動させる温風供給、又は、ヒータ１８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１８】
昇降手段４である昇降機構部１３からの一対の昇降索３であるベルト２７，２７に棚部２を係着していて、駆動モータ１２によって棚部２を昇降することができるようにしている。
【００１９】
棚部２は天板と水受け２６との間に、例えば、カラー塗装して錆び止めを図った金属線材１５を複数本架設して、略かご状にしたものであり、金属線材１５，１５間に皿を挿入して保持したり、又、ちゃわんのような容器状の食器を内部に収容できるようにしている。
【００２０】
棚部の棚側板６側に沿って吸気ダクト２２が付設され、吸気口２３が下端に形成されている。吸気口２３には吸気フィルターが着脱自在に取付けられている。
【００２１】
棚部２の水受け２６はパン状に形成され、ビスにて止められ、ビスを外すことで取外すことができるようにしている。水受け２６には水勾配が形成され、水勾配の最も低い部分に排水口３１を形成している。又、排気口２８を設けて排気するようにしている。
【００２２】
図７に示すように、外部ケース１の対向する側板２１には平面視において略Ｈ形となる縦レール５１を取付けている。棚部２にはブラケット５を取付けてあり、ブラケット５には縦レール５１に対向してローラ５３、５３を取付けてあり、対向する縦レール５１をガイドとして棚部２を円滑に昇降させることができるようにしている。
【００２３】
図１に示すように、ガイド機能がない外部ケース１の背板５４と疑似扉２５との下端部に補助ガイド４７を設けて棚部２が外部ケース１に格納された状態において棚部２の底部４６と外部ケース１との間に生じる隙間ｄを小に抑えるようにしている。補助ガイド４７は小片であり、ボス５５を背板５４に打ち込み、又、疑似扉２５には中間部材５６を介して補助ガイド４７を取付けるようにしている。中間部材５６はビス５７にて疑似扉２５に固定される。
【００２４】
このような構成によれば、棚部２を上昇させて外部ケース１に格納した状態において、外部ケース１に設けた補助ガイド４７が棚部２の底部４６の周部に当接し、棚部２の底部４６と外部ケース１との間に設定以上の隙間が生じることがなく、例えば、経年変化で偏荷重がかかるようになっても、確実に設定通りの隙間ｄを保つことができ、食器乾燥機とする昇降棚装置においてごきぶり等が侵入するのを防止することができるものである。
【００２５】
図１及び図１２に示すように、上記補助ガイド４７は疑似扉２５の左右の背部の前桟８０及び背板５４の下部の４箇所に設けている。一方、棚部２の前桟部８１及び背部板８２の下部でかつ左右箇所に補助ガイド４７…に当たるガイド当て部７５…を設けている。このような補助ガイド４７は前桟部８１及び背部板８２に一体的に設けても、別体のものを付設するようにしてもよい。
【００２６】
このような構成によれば、棚部２の上昇終端部においては、棚部２の下部の前後左右のガイド当て部７５…が外部ケース１の下部の前後左右の補助ガイド４７…に当たることから、上昇終端部の前後方向のがたつきを防止して棚部２の上昇終端位置を所定通りの位置に位置決めして収納することができるのである。
【００２７】
図１２乃至図１７に示すように、外部ケース１の左右の側板２１、２１の前後方向の中央部の下部、つまり、縦レール５１の下部に平面状のガイド用突面部７６を設け、一方、棚部２の両側部の前後方向の中央部の下部にガイド用突面部７６に摺接する突条当て部７７を形成している。
【００２８】
このような構成によれば、棚部２の上昇終端部においては、棚部２の下部の両側の中央部の突条当て部７７、７７が外部ケース１の下部の両側の中央部のガイド用突面部７６、７６に当たることで、上昇終端部において左右方向のがたつきを防止して棚部２の上昇終端位置を所定通りの位置に位置決めして収納することができるのである。
【００２９】
縦レール５１の下端部には切欠き８３が形成され、切欠き８３に略Ｚ字状の取付金具８４の表部８５を嵌め込み、取付片８６を縦レール５１のベース部にビスにて固定している。表部８５には通孔が形成され、合成樹脂製のガイド用突面部７６の脚部８７が嵌入されて取付けられている。取付金具８４の表部８５は縦レール５１より若干高く、更に、表部８５よりもガイド用突面部７６が若干高くなっている。しかして、棚部２側の突条当て部７７が高くなったガイド用突面部７６に摺接するようにしてガイド用突面部７６が縦レール５１の表面部に摺接して傷を付けるのを回避している。
【００３０】
このように、ガイド用突面部７６及び突条当て部７７は樹脂成形品にて製作しておくと摺接して干渉しても傷つくのを防止することができるものである。
【００３１】
棚部２の下端の水受け２６の底板５８には外周縁部４８がフランジ状に延出されている。外部ケース１側の背板５４及び疑似扉２５側に取付けられる中間部材５６には外周縁部４８に弾接する筒状のパッキン４９を先端に備えたシール材５２を付設している。シール材５２は全体として断面Ｔ字状でシール機能を施す先端部が筒状のパッキン４９が形成されている。
【００３２】
しかして、筒状のパッキン４９が棚部２の外周縁部４８に図２３（ａ）乃至（ｄ）及び図２４（ａ）乃至（ｄ）に示すように、変形して弾接するのであり、例えば、昇降索３の伸びなどによる上下方向のずれも吸収することができ、あらゆる方向の隙間のばらつきが生じても、確実にシールを図ることができ、外部ケース１と棚部２との隙間を、一層、に無くすことができ、長期にわたって気密性の向上を図ることができるものである。尚、図示はしないが、外部ケース１の側板２１、２１にも筒状のパッキン４９を備えたシール材５２を付設しているものである。
【００３３】
図１８及び図１９に示すように、筒状のパッキン４９を先端に備えたシール材５２に外部ケース１側に取り付ける取付片７８を形成し、取付片７８の下端部に外部ケース１の内方下方に傾斜する水返し７９を形成している。
【００３４】
しかして、筒状のパッキン４９の下部外面より取付片７８側に伝う水滴は外部ケース１の内方下方に傾斜する水返し７９によって外部ケース１側に伝わるのを防止することができ、外部ケース１の木口部分が水滴に起因して汚されるのを防止することができるものである。
【００３５】
外部ケース１側の側板２１、疑似扉２５の中間部材５６及び背板５４の下端面にはテープ状のスイッチ５０を付設している。テープ状のスイッチ５０は図２０（ａ）に示すように、例えば、ＰＶＣ製の外被５９内にリン青銅製の上部電極板６０、電極間絶縁材６１及び下部電極板６２を配し、更に、上部電極板６０と外被５９間にＰＥＴフィルム６３を介装し、外被５９の突条６４を押圧することで、通電を図って棚部２の上昇を停止又は下降させる制御をおこなうものである。
【００３６】
しかして、棚部２を例えば、遠隔操作等によって格納させる際に、不測に外部ケース１の外周下端面に当てている指等を挟むおそれがあるが、外周下端面に付設したテープ状のスイッチ５０に触れることで棚部２の上昇を停止又は下降させることができ、安全性を高めることができるものである。尚、テープ状のスイッチ５０に代えて図２２（ａ）（ｂ）に示すようなケーブル状のスイッチ５０であってもよいのは言うまでもない。図２２において、符号６５はシリコン導電ゴム、６６は外被シリコン導電ゴム、７３は導電ワイヤーである。
【００３７】
図８乃至図１０に示すように、外部ケース１側に設けた縦レール５１の両側に設けたローラ５３、５３のうち、一側方のローラ５３の縦レール５１に対する位置を変更可能に構成してある。具体的には、ローラ基台６７に長孔６８を形成し、移動板６９に一対の折り曲げ片７０を形成し、折り曲げ片７０を長孔６８に挿入して締め付けねじ７１、７１を締め付ける位置を変更することで、一側方のローラ５３の位置を変更可能に構成したものである。この場合、図９（ｂ）に示すように、折り曲げ片７０には切欠き７２が形成されていて、切欠き７２が長孔６８の縁部に係止することで、移動可能としたローラ５３を保持している移動板６９の反りを防止するようにしている。
【００３８】
しかして、外部ケース１側の縦レール５１に対して棚部２側のローラ５３、５３、５３を設定通りの位置に調整することができ、がたつきを生じさせることもなく棚部２を傾けることなく安定的に昇降させることができ、このような調整を容易におこなうことができるものである。
【００３９】
【発明の効果】
請求項１においては、下方が開放された外部ケース側の昇降索を棚部に連結して棚部を外部ケース内に格納する格納位置に上昇及び物品取出し・収納位置に下降自在に設けた昇降棚装置であって、棚部が外部ケースに格納された状態において棚部の底部と外部ケースとの間に生じる前後方向の隙間を小に抑える補助ガイドを外部ケースの前後部分の下部に設け、補助ガイドに当たるガイド当て部を棚部の前後部分の下部に設け、かつ、棚部が外部ケースに格納された状態において棚部の底部と外部ケースとの間に生じる左右方向の隙間を小に抑えるガイド用突面部を外部ケースの左右の側板の下部に設け、ガイド用突面部に摺接する突条当て部を棚部の両側部の下部に設けているから、棚部を上昇させて外部ケースに格納した状態において、棚部の前後部分の下部のガイド当て部が外部ケースの前後部分の下部の補助ガイドに当接して棚部と外部ケースとの前後方向のがたつきを防止し、かつ、棚部の両側部の下部の突条当て部が外部ケースの両側板の下部のガイド用突面部に当接して棚部と外部ケースとの左右方向のがたつきを防止するのであり、棚部の底部と外部ケースとに間で前後方向及び左右方向において設定以上の隙間が生じることがなく、例えば、経年変化で偏荷重がかかるようになっても、確実に設定通りの隙間を保つことができ、食器乾燥機とする昇降棚装置においてごきぶり等が侵入するのを防止することができるという利点がある。
【００４０】
請求項２においては、請求項１の構成に加えて、外部ケースの下端部に棚部２の下端の外周縁部に弾接する筒状のパッキンを備えたシール材を付設しているから、請求項１の効果に加えて、ヒレ状のパッキンに比べて筒状のパッキンによって昇降索の伸びなどによる上下方向のずれも吸収することができ、あらゆる方向の隙間のばらつきが生じても、確実にシールを図ることができ、外部ケースと棚部との隙間を、一層、に無くすことができ、長期にわたって気密性の向上を図ることができるという利点がある。
【００４１】
請求項３においては、請求項１の構成に加えて、外部ケースの外周下端面に接触にて応答して棚部の上昇を停止又は下降させる制御をおこなうケーブル又はテープ状のスイッチを設けているから、請求項１の効果に加えて、棚部を例えば、遠隔操作等によって格納させる際に、不測に外部ケースの外周下端面に当てている指等を挟むおそれがあるが、外周下端面に付設したケーブル又はテープ状のスイッチに触れることで棚部の上昇を停止又は下降させることができ、安全性を高めることができるという利点がある。
【００４２】
請求項４においては、請求項１の構成に加えて、外部ケース側に縦レールを設け、棚部側に縦レールの両側にローラを配し、少なくとも一方のローラの縦レールに対する位置を変更可能に構成してあるから、請求項１の効果に加えて、外部ケース側の縦レールに対して棚部側のローラを設定通りの位置に調整することができ、がたつきを生じさせることもなく棚部を傾けることなく安定的に昇降させることができ、このような調整を容易におこなうことができるという利点がある。
【００４３】
請求項５においては、請求項１の構成に加えて、補助ガイドを外部ケースの前後部分の下部でかつ左右箇所に設け、補助ガイドに当たるガイド当て部を棚部の前後部分の下部でかつ左右箇所に設けてあるから、請求項１の効果に加えて、棚部の上昇終端部においては、棚部の下部の前後左右のガイド当て部が外部ケースの下部の前後左右の補助ガイドに当たることから、上昇終端部の前後方向のがたつきを防止して棚部の上昇終端位置を所定通りの位置に位置決めして収納することができるという利点がある。
【００４４】
請求項６においては、請求項１又は５の構成に加えて、平面状のガイド用突面部を外部ケースの左右の側板の前後方向の中央部の下部に形成し、ガイド用突面部に摺接する突条当て部を棚部の両側部の前後方向の中央部の下部に形成しているから、請求項１又は５の効果に加えて、棚部の上昇終端部においては、棚部の下部の両側の中央部の突条当て部が外部ケースの下部の両側の中央部のガイド用突面部に当たることで、上昇終端部において左右方向のがたつきを防止して棚部の上昇終端位置を所定通りの位置に位置決めして収納することができるという利点がある。
【００４５】
請求項７においては、請求項２の構成に加えて、筒状のパッキンを先端に備えたシール材に外部ケース側に取り付ける取付片を形成し、取付片の下端部に外部ケースの内方下方に傾斜する水返しを形成してあるから、請求項２の効果に加えて、筒状のパッキンの下部外面より取付片側に伝う水滴は外部ケースの内方下方に傾斜する水返しによって外部ケース側に伝わるのを防止することができ、外部ケースの木口部分が水滴に起因して汚されるのを防止することができるという利点がある。
【図面の簡単な説明】
【図１】本発明の実施の一形態の概略側断面図である。
【図２】同上の全体概略正面図である。
【図３】同上の概略側断面図である。
【図４】同上の概略側断面図である。
【図５】同上の概略横断面図である。
【図６】同上の補助ガイドを示し、（ａ）は側面図、（ｂ）は正面図、（ｃ）は背面図である。
【図７】同上の縦レールとローラとの関係を示す平断面図である。
【図８】（ａ）は部分分解側面図、（ｂ）は平面図である。
【図９】同上の調整用のローラを示し、（ａ）は側面図、（ｂ）は平面図、（ｃ）は正面図である。
【図１０】同上の正面図である。
【図１１】同上の側面図である。
【図１２】同上の補助ガイド及びガイド用突面部の配設位置を示す概略平面図である。
【図１３】同上のガイド用突面部の取付け状態を示す一部省略した側面図である。
【図１４】（ａ）（ｂ）は同上の部分平面図である。
【図１５】（ａ）は同上のガイド用突面部の取付け状態を示す側面図、（ｂ）は平面図である。
【図１６】（ａ）は同上の正面図、（ｂ）は縦レールの部分斜視図である。
【図１７】同上のガイド用突面部を示し、（ａ）は正面図、（ｂ）は側面図、（ｃ）は平面図である。
【図１８】同上の背板を示し、（ａ）は正面図、（ｂ）は側面図、（ｃ）は拡大側面図である。
【図１９】同上のパッキンを示し、（ａ）は断面図、（ｂ）は拡大断面図である。
【図２０】同上のテープ状のスイッチを示し、（ａ）は断面図、（ｂ）は斜視図である。
【図２１】（ａ）（ｂ）（ｃ）は動作説明図である。
【図２２】（ａ）（ｂ）はケーブル状のスイッチの斜視図である。
【図２３】（ａ）乃至（ｄ）は同上の筒状のパッキンの作用を示す説明図である。
【図２４】（ａ）乃至（ｄ）は同上の筒状のパッキンの作用を示す説明図である。
【図２５】従来例を示し、（ａ）は概略正面図、（ｂ）はシール材の作用を示す説明図、（ｃ）は側面図である。
【符号の説明】
１    外部ケース
２    棚部
３    昇降索
４６  底部
４７  補助ガイド
ｄ    隙間
【図１】
0003552668.tif 000002
【図２】
0003552668.tif 000003
【図３】
0003552668.tif 000004
【図４】
0003552668.tif 000005
【図５】
0003552668.tif 000006
【図６】
0003552668.tif 000007
【図７】
0003552668.tif 000008
【図８】
0003552668.tif 000009
【図９】
0003552668.tif 000010
【図１０】
0003552668.tif 000011
【図１１】
0003552668.tif 000012
【図１２】
0003552668.tif 000013
【図１３】
0003552668.tif 000014
【図１４】
0003552668.tif 000015
【図１５】
0003552668.tif 000016
【図１６】
0003552668.tif 000017
【図１７】
0003552668.tif 000018
【図１８】
0003552668.tif 000019
【図１９】
0003552668.tif 000020
【図２０】
0003552668.tif 000021
【図２１】
0003552668.tif 000022
【図２２】
0003552668.tif 000023
【図２３】
0003552668.tif 000024
【図２４】
0003552668.tif 000025
【図２５】
0003552668.tif 000026